(57)【要約】【課題】確実に動作させると共に、電力損失をより低減し、発熱をより低減する。【解決手段】電源部３３は、６Ｖの電圧を供給する。電源部３１は、６Ｖより高い８Ｖの電圧を供給する。マイクロコンピュータ３５は、ディスクを駆動するモードが、再生のモードであるか否かを判定し、ドライバIC１２に供給する電圧として、再生のモードであると判定された場合、６Ｖの電圧を選択し、再生のモードでないと判定された場合、６Ｖより高い８Ｖの電圧を選択する。本発明は、光ディスクドライブに適用できる。【選択図】図１
2010205371.tif 000002
【特許請求の範囲】
【請求項１】
ディスクに記録されているデータを再生するディスク再生装置において、
第１の電圧を供給する第１の電源と、
上記第１の電圧より高い第２の電圧を供給する第２の電源と、
上記ディスクを駆動するモードが、再生のモードであるか否かを判定する判定手段と、
上記ディスクを駆動する駆動部に供給する電圧として、上記再生のモードであると判定された場合、上記第１の電圧を選択し、上記再生のモードでないと判定された場合、上記第２の電圧を選択する選択手段と
を有することを特徴とするディスク再生装置。
【請求項２】
請求項１に記載のディスク再生装置において、
前記判定手段は、前記ディスク再生装置を起動する場合、前記ディスクをロードする場合、前記サーチする場合、または前記ディスクをイジェクトする場合、前記再生のモードでないと判定する
ことを特徴とするディスク再生装置。
【請求項３】
請求項１に記載のディスク再生装置において、
前記第１の電圧より低い第３の電圧を供給する第３の電源をさらに備え、
前記判定手段は、前記再生のモードであると判定された場合、通常の再生のモードであるか否かを判定し、
前記選択手段は、前記駆動部に供給する電圧として、前記再生のモードであると判定された場合、前記通常の再生のモードでないと判定されたとき、前記第１の電圧を選択し、前記再生のモードであると判定された場合、前記通常の再生のモードであると判定されたとき、前記第３の電圧を選択する
ことを特徴とするディスク再生装置。
【請求項４】
請求項３に記載のディスク再生装置において、
前記判定手段は、振動が発生した場合、前記ディスクに傷がある場合、または前記ディスクに面振れ若しくは偏芯がある場合、前記通常の再生のモードでないと判定する
ことを特徴とするディスク再生装置。
【請求項５】
第１の電圧を供給する第１の電源と、上記第１の電圧より高い第２の電圧を供給する第２の電源と、ディスクを駆動する駆動部と、判定手段と、選択手段とを備え、上記ディスクに記録されているデータを再生するディスク再生装置のディスク再生方法において、
上記判定手段により、上記ディスクを駆動するモードが、再生のモードであるか否かを判定する判定ステップと、
上記選択手段により、上記駆動部に供給する電圧として、上記再生のモードであると判定された場合、上記第１の電圧を選択し、上記再生のモードでないと判定された場合、上記第２の電圧を選択する選択ステップと
を含むことを特徴とするディスク再生方法。
【請求項６】
第１の電圧を供給する第１の電源と、上記第１の電圧より高い第２の電圧を供給する第２の電源と、ディスクを駆動する駆動部とを備えるディスク再生装置であって、上記ディスクに記録されているデータを再生するディスク再生装置を制御するコンピュータに、
上記ディスクを駆動するモードが、再生のモードであるか否かを判定する判定ステップと、
上記駆動部に供給する電圧として、上記再生のモードであると判定された場合、上記第１の電圧を選択し、上記再生のモードでないと判定された場合、上記第２の電圧を選択する選択ステップと
を含む処理を行わせるプログラム。
【発明の詳細な説明】
【技術分野】
【０００１】
本発明はディスク再生装置およびディスク再生方法、並びにプログラムに関する。
【背景技術】
【０００２】
CD（compact disc）やDVD（digital versatile disc）など各種の光ディスクを再生する光ディスクドライブが広く使用されている。フォーカスアクチュエータコイルおよびトラッキングアクチュエータコイルを含む光ピックアップ、並びにスレッドモータ、スピンドルモータ、およびディスク搬送モータにブラシ付きモータを使用する光ディスクドライブにおいて、これらのコイルやモータを駆動する手段として、オペアンプタイプであるBTL（bridged transless）方式のドライバIC（integrated circuit）を採用するのが一般的である。
【０００３】
図９は、ドライバICの構成を示す図である。ドライバIC１０１は、フォーカスコイル１０２、トラッキングコイル１０３、スピンドルモータ１０４、スレッドモータ１０５、およびディスク搬送モータ１０６を駆動する。フォーカスコイル１０２およびトラッキングコイル１０３は、光ピックアップ部に設けられている。
【０００４】
ドライバIC１０１には、バッファ１２１−１〜バッファ１２１−５およびBTL出力部１２２−１〜BTL出力部１２２−５が設けられている。バッファ１２１−１〜バッファ１２１−５は、それぞれ、供給された制御信号を取得して、制御信号に応じた信号をBTL出力部１２２−１〜BTL出力部１２２−５のそれぞれに供給する。BTL出力部１２２−１は、バッファ１２１−１からの信号に応じて、フォーカスコイル１０２を駆動する。BTL出力部１２２−２は、バッファ１２１−２からの信号に応じて、トラッキングコイル１０３を駆動する。BTL出力部１２２−３は、バッファ１２１−３からの信号に応じて、スピンドルモータ１０４を駆動する。BTL出力部１２２−４は、バッファ１２１−４からの信号に応じて、スレッドモータ１０５を駆動する。BTL出力部１２２−５は、バッファ１２１−５からの信号に応じて、ディスク搬送モータ１０６を駆動する。
【０００５】
従来のディスク再生装置には、スピンドルモータ手段と、モータ駆動手段と、ディスクに記録された情報を検出するピックアップ手段と、ピックアップ手段の検出信号に含まれる回転速度情報を検出する回転情報検出手段と、回転情報検出手段により検出された速度情報に基づいてモータ手段の回転速度を制御する速度制御手段と、ピックアップ手段をディスク上の半径方向において任意の位置へ位置決めするトラバース手段と、モータ駆動手段に電源を供給する複数の電源供給手段と、モータ駆動手段の駆動トランジスタの飽和電圧を検出する手段と、複数の電源供給手段を切り換える電力選択手段とを採用しているものもある（例えば、特許文献１参照）。
【先行技術文献】
【特許文献】
【０００６】
【特許文献１】特開平８−２７３２９１号公報
【発明の概要】
【発明が解決しようとする課題】
【０００７】
しかしながら、BTL方式のドライバICを用いる場合、出力段トランジスタの電力損失で発生する発熱を考慮した設計が重要になる。特に、車載用途の場合、高温の環境下での使用の頻度が高いため、発熱によるドライバIC自身の定格に対する余裕度の減少、また熱の煽りによる周辺部品への悪影響が懸念される。よって、発熱低減のための１つの手段として電源電圧を下げることも有効であると考えられる。
【０００８】
しかしながら、例えば、ディスクを搬送し、高い電圧の出力が必要な場合、如何なる動作状態においてもディスクを搬送するときに必要な電源電圧でドライバICの電源電圧が決まってしまい、ディスクを搬送するとき以外、例えば、ディスクを再生するときの発熱の低減は困難であった。
【０００９】
そこで、本発明は、上記課題を解決すること、すなわち、確実に動作させると共に、電力損失をより低減し、発熱をより低減できるディスク再生装置およびディスク再生方法、並びにプログラムを提供することを目的とする。
【課題を解決するための手段】
【００１０】
上記課題を解決するために、本発明のディスク再生装置の一側面は、ディスクに記録されているデータを再生するディスク再生装置であって、第１の電圧を供給する第１の電源と、第１の電圧より高い第２の電圧を供給する第２の電源と、ディスクを駆動するモードが、再生のモードであるか否かを判定する判定手段と、ディスクを駆動する駆動部に供給する電圧として、再生のモードであると判定された場合、第１の電圧を選択し、再生のモードでないと判定された場合、第２の電圧を選択する選択手段とを有するものとされている。
【００１１】
また、本発明のディスク再生装置の一側面は、上述の構成に加えて、判定手段が、ディスク再生装置を起動する場合、ディスクをロードする場合、サーチする場合、またはディスクをイジェクトする場合が、再生のモードでないと判定するものとされている。
【００１２】
さらに、本発明のディスク再生装置の一側面は、上述の構成に加えて、第１の電圧より低い第３の電圧を供給する第３の電源をさらに設け、判定手段が、再生のモードであると判定された場合、通常の再生のモードであるか否かを判定し、選択手段が、駆動部に供給する電圧として、再生のモードであると判定された場合、通常の再生のモードでないと判定されたとき、第１の電圧を選択し、再生のモードであると判定された場合、通常の再生のモードであると判定されたとき、第３の電圧を選択するものとされている。
【００１３】
さらにまた、本発明のディスク再生装置の一側面は、上述の構成に加えて、判定手段が、振動が発生した場合、ディスクに傷がある場合、またはディスクに面振れ若しくは偏芯がある場合、通常の再生のモードでないと判定するものとされている。
【００１４】
また、本発明のディスク再生方法の一側面は、第１の電圧を供給する第１の電源と、第１の電圧より高い第２の電圧を供給する第２の電源と、ディスクを駆動する駆動部と、判定手段と、選択手段とを備え、ディスクに記録されているデータを再生するディスク再生装置のディスク再生方法であって、判定手段により、ディスクを駆動するモードが、再生のモードであるか否かを判定する判定ステップと、選択手段により、駆動部に供給する電圧として、再生のモードであると判定された場合、第１の電圧を選択し、再生のモードでないと判定された場合、第２の電圧を選択する選択ステップとを含むものとされている。
【００１５】
さらに、本発明のプログラムの一側面は、第１の電圧を供給する第１の電源と、上記第１の電圧より高い第２の電圧を供給する第２の電源と、ディスクを駆動する駆動部とを備えるディスク再生装置であって、上記ディスクに記録されているデータを再生するディスク再生装置を制御するコンピュータに、ディスクを駆動するモードが、再生のモードであるか否かを判定する判定ステップと、駆動部に供給する電圧として、再生のモードであると判定された場合、第１の電圧を選択し、再生のモードでないと判定された場合、第２の電圧を選択する選択ステップとを含む処理を行わせるものとされている。
【発明の効果】
【００１６】
本発明の一側面によれば、確実に動作させると共に、電力損失をより低減し、発熱をより低減できるディスク再生装置およびディスク再生方法、並びにプログラムを提供することができる。
【図面の簡単な説明】
【００１７】
【図１】ディスク再生装置の構成の例を示すブロック図である。
【図２】プログラムを実行するマイクロコンピュータ３５によって実現される機能の構成の例を示すブロック図である。
【図３】電源切り換え部１１による、ドライバIC１２への電源の制御の詳細の例を説明する図である。
【図４】電源制御の処理を説明するフローチャートである。
【図５】ディスク再生装置の構成の他の例を示すブロック図である。
【図６】プログラムを実行するマイクロコンピュータ７７によって実現される機能の構成の例を示すブロック図である。
【図７】電源切り換え部６１による、ドライバIC１２への電源の制御の詳細を説明する図である。
【図８】電源制御の処理を説明するフローチャートである。
【図９】ドライバICの構成を示す図である。
【発明を実施するための形態】
【００１８】
以下、本発明の一実施の形態のディスク再生装置について、図１〜図８を参照しながら説明する。
【００１９】
図１は、ディスク再生装置の構成の例を示すブロック図である。ディスク再生装置は、フレキシブルディスクやハードディスクなどの磁気ディスク、CD若しくはDVDなどの光ディスク、または光磁気ディスクなどのディスクに記録されているデータを再生する。以下、ディスク再生装置が、光ディスクであるディスクに記録されているデータを再生するものとして説明する。
【００２０】
ディスク再生装置は、電源切り換え部１１、ドライバIC１２、フォーカスコイル１３、トラッキングコイル１４、スピンドルモータ１５、スレッドモータ１６、およびディスク搬送モータ１７を備える。
【００２１】
電源切り換え部１１は、ディスク再生装置の動作モードに応じて、ドライバIC１２に供給する電源の電圧を切り換える。ここで、動作モードは、ディスク再生装置の起動、ディスクをディスク再生装置に装着するディスクのロード、ディスクに記録されているデータの再生、ディスクに記録されているデータのサーチ、ディスクをイジェクト（排出）するモードなどである。ドライバIC１２は、外部から供給される制御信号に応じて、フォーカスコイル１３、トラッキングコイル１４、スピンドルモータ１５、スレッドモータ１６、およびディスク搬送モータ１７のそれぞれに、電圧および電流を供給して、フォーカスコイル１３およびトラッキングコイル１４に励磁させることで、ディスクに記録されているデータを読み取るピックアップを駆動し、また、スピンドルモータ１５、スレッドモータ１６、およびディスク搬送モータ１７を駆動する。
【００２２】
フォーカスコイル１３は、ピックアップのフォーカスレンズの位置を変えることにより、ピックアップから照射される光のビームをディスクの記録層にフォーカスさせる。トラッキングコイル１４は、ピックアップから照射される光のビームを、ディスクの記録層に形成され、１列に配置されるピットなどからなるトラックに追従させる。スピンドルモータ１５は、ディスクを回転させる。スレッドモータ１６は、トラックに対して横切る方向にピックアップを移動させる。ディスク搬送モータ１７は、ディスクをロードさせるか、またはディスクをイジェクトさせる機構を駆動する。
【００２３】
ドライバIC１２、フォーカスコイル１３、トラッキングコイル１４、スピンドルモータ１５、スレッドモータ１６、およびディスク搬送モータ１７は、ディスクを駆動する駆動部の一例である。
【００２４】
電源切り換え部１１は、電源部３１、リレー３２、電源部３３、リレー３４、およびマイクロコンピュータ３５からなる。電源部３１は、外部から供給される電源の電圧を、８Ｖの電圧に変換して、８Ｖの電圧をリレー３２に供給する。リレー３２は、マイクロコンピュータ３５の制御に応じて、接点を閉じるか、接点を開く。すなわち、リレー３２が接点を閉じた場合、電源部３１から供給される８Ｖの電圧がドライバIC１２に供給され、リレー３２が接点を開いた場合、電源部３１から供給される８Ｖの電圧がドライバIC１２に供給されない。
【００２５】
電源部３３は、外部から供給される電源の電圧を、６Ｖの電圧に変換して、６Ｖの電圧をリレー３４に供給する。リレー３４は、マイクロコンピュータ３５の制御に応じて、接点を閉じるか、接点を開く。すなわち、リレー３４が接点を閉じた場合、電源部３３から供給される６Ｖの電圧がドライバIC１２に供給され、リレー３４が接点を開いた場合、電源部３３から供給される６Ｖの電圧がドライバIC１２に供給されない。
【００２６】
以下、リレー３２またはリレー３４のそれぞれの接点が閉じられることを、リレー３２またはリレー３４がオンすると称し、リレー３２またはリレー３４のそれぞれの接点が開かれることを、リレー３２またはリレー３４がオフすると称する。さらに、以下、リレー３２がオンされて、ドライバIC１２に電源部３１からの８Ｖの電圧が供給されることを、８Ｖの電源をオンにすると称し、リレー３２がオフされて、ドライバIC１２に電源部３１からの８Ｖの電圧が供給されないことを、８Ｖの電源をオフにすると称する。同様に、以下、リレー３４がオンされて、ドライバIC１２に電源部３３からの６Ｖの電圧が供給されることを、６Ｖの電源をオンにすると称し、リレー３４がオフされて、ドライバIC１２に電源部３３からの６Ｖの電圧が供給されないことを、６Ｖの電源をオフにすると称する。
【００２７】
マイクロコンピュータ３５は、いわゆる組み込み型のマイクロコンピュータであり、内蔵されているROMまたはRAMに記憶されているプログラムを実行して、ディスク再生装置の全体を制御する制御部（図示せず）から供給される、動作モードを示す動作モード信号に応じて、電源切り換え部１１を制御する。なお、動作モード信号は、ドライバIC１２から供給されるようにしてもよい。
【００２８】
なお、電源切り換え部１１は、１つの部品またはICとして構成するようにしてもよい。
【００２９】
図２は、プログラムを実行するマイクロコンピュータ３５によって実現される機能の構成の例を示すブロック図である。マイクロコンピュータ３５がプログラムを実行することにより、判定部５１および電源制御部５２が実現される。
【００３０】
判定部５１は、ディスクを駆動するモードが、再生のモードであるか否かを判定する。電源制御部５２は、リレー３２またはリレー３４を制御し、ドライバIC１２に供給する電圧として、再生のモードであると判定された場合、電源部３３から供給される６Ｖの電圧を選択し、再生のモードでないと判定された場合、電源部３１から供給される８Ｖの電圧を選択する。
【００３１】
図３は、電源切り換え部１１による、ドライバIC１２への電源の制御の詳細の例を説明する図である。図３において、１番上の行は、動作モードを示し、上から２番目の行は、ドライバIC１２の出力段のダイナミックレンジの拡張の必要性が有るか無いかを示し、上から３番目の行は、ドライバIC１２に供給される電圧を示す。また、図３において、１の番号が付されている、上から４番目の行は、フォーカスドライブ制御がなされるか否かを示し、２の番号が付されている、上から５番目の行は、トラッキングドライブ制御がなされるか否かを示し、３の番号が付されている、上から６番目の行は、スレッドドライブ制御がなされるか否かを示し、４の番号が付されている、上から７番目の行は、スピンドルドライブ制御がなされるか否かを示し、５の番号が付されている、上から８番目の行は、ディスク搬送制御がなされるか否かを示す。なお、スピンドルドライブ制御は、CLV（constant linear velocity）制御が行われる場合を対象とする。
【００３２】
すなわち、動作モードが、ディスクをディスク再生装置に装着するディスクのロード（以下、ディスクロードと称する）である場合、フォーカスドライブ制御、トラッキングドライブ制御、スレッドドライブ制御、およびスピンドルドライブ制御はなされず、ディスク搬送制御がなされるので、ディスク搬送制御がなされることから、ドライバIC１２の出力段のダイナミックレンジの拡張の必要性があり、ドライバIC１２には８Ｖの電圧が供給され、６Ｖの電圧は供給されない。
【００３３】
また、動作モードが、ディスク再生装置の起動（以下、単に、起動と称する）である場合、フォーカスサーチであるフォーカスドライブ制御、トラッキングドライブ制御、スレッドドライブ制御、およびモータ加速であるスピンドルドライブ制御がなされ、ディスク搬送制御がなされず、フォーカスドライブ制御においてフォーカスサーチがなされ、スピンドルドライブ制御においてモータ加速の制御がなされることから、ドライバIC１２の出力段のダイナミックレンジの拡張の必要性があり、ドライバIC１２には８Ｖの電圧が供給され、６Ｖの電圧は供給されない。
【００３４】
さらに、動作モードが、ディスクに記録されているデータの再生（以下、ディスク再生と称する）である場合、フォーカスドライブ制御、トラッキングドライブ制御、スレッドドライブ制御、およびスピンドルドライブ制御がなされ、ディスク搬送制御がなされないので、ドライバIC１２の出力段のダイナミックレンジの拡張の必要性はなく、ドライバIC１２には６Ｖの電圧が供給され、８Ｖの電圧は供給されない。
【００３５】
さらにまた、動作モードが、ディスクに記録されているデータのサーチ（以下、単に、サーチと称する）である場合、フォーカスドライブ制御、レンズキックであるトラッキングドライブ制御、強制送りであるスレッドドライブ制御、および加減速であるスピンドルドライブ制御がなされ、ディスク搬送制御がなされず、トラッキングドライブ制御においてレンズキックがなされ、スレッドドライブ制御において強制送りがなされ、スピンドルドライブ制御において加減速の制御がなされることから、ドライバIC１２の出力段のダイナミックレンジの拡張の必要性があり、ドライバIC１２には８Ｖの電圧が供給され、６Ｖの電圧は供給されない。
【００３６】
また、動作モードが、ディスクのイジェクト（以下、ディスクイジェクトと称する）である場合、フォーカスドライブ制御、トラッキングドライブ制御、スレッドドライブ制御、およびスピンドルドライブ制御はなされず、ディスク搬送制御がなされるので、ディスク搬送制御がなされることから、ドライバIC１２の出力段のダイナミックレンジの拡張の必要性があり、ドライバIC１２には８Ｖの電圧が供給され、６Ｖの電圧は供給されない。
【００３７】
次に、図４のフローチャートを参照して、電源制御の処理を説明する。ステップＳ１１において、判定部５１は、動作モード信号を参照して、ディスクロードの動作モードであるか否かを判定する。ステップＳ１１において、ディスクロードの動作モードであると判定された場合、ディスクロードでは、駆動部においてより大きな出力が必要なので、駆動部により高い電圧を供給するために、手続きはステップＳ１２に進み、電源制御部５２は、８Ｖの電源をオンにして、６Ｖの電源をオフにして、手続きはステップＳ１１に戻る。
【００３８】
すなわち、ステップＳ１２において、電源制御部５２は、リレー３２をオンさせて、ドライバIC１２に電源部３１からの８Ｖの電圧を供給させ、リレー３４をオフさせて、電源部３３からの６Ｖの電圧のドライバIC１２への供給を遮断する。
【００３９】
ステップＳ１１において、ディスクロードの動作モードでないと判定された場合、手続きはステップＳ１３に進み、判定部５１は、動作モード信号を参照して、起動の動作モードであるか否かを判定する。ステップＳ１３において、起動の動作モードであると判定された場合、起動では、駆動部においてより大きな出力が必要なので、駆動部により高い電圧を供給するために、手続きはステップＳ１２に進み、電源制御部５２は、８Ｖの電源をオンにして、６Ｖの電源をオフにして、手続きはステップＳ１１に戻る。
【００４０】
ステップＳ１３において、起動の動作モードでないと判定された場合、手続きはステップＳ１４に進み、判定部５１は、動作モード信号を参照して、ディスク再生の動作モードであるか否かを判定する。ステップＳ１４において、ディスク再生の動作モードであると判定された場合、ディスク再生の動作モードでは、より低い電圧でも駆動部において制御に必要な出力が確保できるので、手続きはステップＳ１５に進み、電源制御部５２は、６Ｖの電源をオンにして、８Ｖの電源をオフにして、手続きはステップＳ１１に戻る。
【００４１】
すなわち、ステップＳ１５において、電源制御部５２は、リレー３４をオンさせて、ドライバIC１２に電源部３３からの６Ｖの電圧を供給させ、リレー３２をオフさせて、電源部３１からの８Ｖの電圧のドライバIC１２への供給を遮断する。
【００４２】
ステップＳ１４において、ディスク再生の動作モードでないと判定された場合、手続きはステップＳ１６に進み、判定部５１は、動作モード信号を参照して、サーチの動作モードであるか否かを判定する。ステップＳ１６において、サーチの動作モードであると判定された場合、サーチでは、駆動部においてより大きな出力が必要なので、駆動部により高い電圧を供給するために、手続きはステップＳ１２に進み、電源制御部５２は、８Ｖの電源をオンにして、６Ｖの電源をオフにして、手続きはステップＳ１１に戻る。
【００４３】
ステップＳ１６において、サーチの動作モードでないと判定された場合、手続きはステップＳ１７に進み、判定部５１は、動作モード信号を参照して、ディスクイジェクトの動作モードであるか否かを判定する。ステップＳ１７において、ディスクイジェクトの動作モードであると判定された場合、ディスクイジェクトでは、駆動部においてより大きな出力が必要なので、駆動部により高い電圧を供給するために、手続きはステップＳ１２に進み、電源制御部５２は、８Ｖの電源をオンにして、６Ｖの電源をオフにして、手続きはステップＳ１１に戻る。
【００４４】
ステップＳ１７において、ディスクイジェクトの動作モードでないと判定された場合、動作モードが判定できなかったので、ドライバIC１２に供給される電圧を変更することなく、手続きはステップＳ１１に戻る。
【００４５】
このように、ディスクを駆動するモードが、再生のモードであるか否かが判定され、ディスクを駆動する駆動部に供給する電圧として、再生のモードであると判定された場合、６Ｖの電圧が選択され、再生のモードでないと判定された場合、６Ｖより高い８Ｖの電圧が選択される。
【００４６】
また、電源電圧の切り換えをより細分化することもできる。この場合、所定の数の異なる電圧を用いることができる。以下に、振動、傷、およびディスク変動を検出して、３段階の異なる電圧を用いる例について説明する。
【００４７】
図５は、ディスク再生装置の構成の他の例を示すブロック図である。
【００４８】
図５に示されるディスク再生装置は、電源切り換え部６１、ドライバIC１２、フォーカスコイル１３、トラッキングコイル１４、スピンドルモータ１５、スレッドモータ１６、およびディスク搬送モータ１７を備える。図１に示すディスク再生装置と同様の部分には、同一の符号を付してあり、その説明は省略する。
【００４９】
電源切り換え部６１は、ディスク再生装置の動作モードに応じて、ドライバIC１２に供給する電源の電圧を切り換える。
【００５０】
電源切り換え部６１は、電源部７１、リレー７２、電源部７３、リレー７４、電源部７５、リレー７６、およびマイクロコンピュータ７７からなる。電源部７１は、外部から供給される電源の電圧を、８Ｖの電圧に変換して、８Ｖの電圧をリレー７２に供給する。リレー７２は、マイクロコンピュータ７７の制御に応じて、接点を閉じるか、接点を開く。すなわち、リレー７２が接点を閉じた場合、電源部７１から供給される８Ｖの電圧がドライバIC１２に供給され、リレー７２が接点を開いた場合、電源部７１から供給される８Ｖの電圧がドライバIC１２に供給されない。
【００５１】
電源部７３は、外部から供給される電源の電圧を、６Ｖの電圧に変換して、６Ｖの電圧をリレー７４に供給する。リレー７４は、マイクロコンピュータ７７の制御に応じて、接点を閉じるか、接点を開く。すなわち、リレー７４が接点を閉じた場合、電源部７３から供給される６Ｖの電圧がドライバIC１２に供給され、リレー７４が接点を開いた場合、電源部７３から供給される６Ｖの電圧がドライバIC１２に供給されない。
【００５２】
電源部７５は、外部から供給される電源の電圧を、５Ｖの電圧に変換して、５Ｖの電圧をリレー７６に供給する。リレー７６は、マイクロコンピュータ７７の制御に応じて、接点を閉じるか、接点を開く。すなわち、リレー７６が接点を閉じた場合、電源部７５から供給される５Ｖの電圧がドライバIC１２に供給され、リレー７６が接点を開いた場合、電源部７５から供給される５Ｖの電圧がドライバIC１２に供給されない。
【００５３】
以下、リレー７２、リレー７４、またはリレー７６の接点が閉じられることを、リレー７２、リレー７４、またはリレー７６がオンすると称し、リレー７２、リレー７４、またはリレー７６の接点が開かれることを、リレー７２、リレー７４、またはリレー７６がオフすると称する。
【００５４】
また、以下において、リレー７２がオンされて、ドライバIC１２に電源部７１からの８Ｖの電圧が供給されることを、８Ｖの電源をオンにすると称し、リレー７２がオフされて、ドライバIC１２に電源部７１からの８Ｖの電圧が供給されないことを、８Ｖの電源をオフにすると称する。同様に、以下において、リレー７４がオンされて、ドライバIC１２に電源部７３からの６Ｖの電圧が供給されることを、６Ｖの電源をオンにすると称し、リレー７４がオフされて、ドライバIC１２に電源部７３からの６Ｖの電圧が供給されないことを、６Ｖの電源をオフにすると称する。さらに、以下、リレー７６がオンされて、ドライバIC１２に電源部７５からの５Ｖの電圧が供給されることを、５Ｖの電源をオンにすると称し、リレー７６がオフされて、ドライバIC１２に電源部７５からの５Ｖの電圧が供給されないことを、５Ｖの電源をオフにすると称する。
【００５５】
マイクロコンピュータ７７は、いわゆる組み込み型のマイクロコンピュータであり、内蔵されているROMまたはRAMに記憶されているプログラムを実行して、ディスク再生装置の全体を制御する制御部（図示せず）から供給される動作モード信号、振動検出信号、傷検出信号、およびディスク変動信号に応じて、電源切り換え部６１を制御する。振動検出信号は、加速度センサなどによる、ディスク再生装置の振動またはディスクの振動の検出の結果を示す。傷検出信号は、ピックアップから出力される読み取り信号の復号におけるバーストエラーの発生などに応じて生成されるものであり、ディスクの傷の検出の結果を示す。ディスク変動信号は、ピックアップから出力される読み取り信号の変動の抽出などにより検出される、ディスクの面の振れまたは偏芯などのディスクの変動を示す。
【００５６】
なお、電源切り換え部６１は、１つの部品またはICとして構成するようにしてもよい。
【００５７】
図６は、プログラムを実行するマイクロコンピュータ７７によって実現される機能の構成の例を示すブロック図である。マイクロコンピュータ７７がプログラムを実行することにより、判定部９１、電源制御部９２、および検出部９３が実現される。
【００５８】
判定部９１は、ディスクを駆動するモードが、再生のモードであるか否かを判定する。また、判定部９１は、再生のモードであると判定された場合、通常の再生のモードであるか否かを判定する。
【００５９】
電源制御部９２は、リレー７２、リレー７４、およびリレー７６を制御し、ドライバIC１２に供給する電圧として、再生のモードでないと判定された場合、電源部７１から供給される８Ｖの電圧を選択し、再生のモードであると判定された場合、通常の再生のモードでないと判定されたとき、電源部７３から供給される６Ｖの電圧を選択し、再生のモードであると判定された場合、通常の再生のモードであると判定されたとき、電源部７５から供給される５Ｖの電圧を選択する。
【００６０】
検出部９３は、動作モード信号、振動検出信号、傷検出信号、およびディスク変動信号を取得して、振動の発生、ディスクの傷、またはディスクの変動を検出する。
【００６１】
図７は、電源切り換え部６１による、ドライバIC１２への電源の制御の詳細を説明する図である。なお、電源切り換え部６１において、図３に示されるドライバIC１２への電源の制御と同じ制御に加えて、図７に示されるドライバIC１２への電源の制御が行われる。以下において、電源切り換え部６１において行われる、図３を参照して説明したドライバIC１２への電源の制御と同じ制御の説明は省略する。
【００６２】
図７において、１番上の行は、動作モードを示し、上から２番目の行は、ドライバIC１２の出力段のダイナミックレンジの拡張の必要性が有るか無いかを示し、上から３番目の行は、ドライバIC１２に供給される電圧を示す。また、図７において、１の番号が付されている、上から４番目の行は、フォーカスドライブ制御がなされるか否かを示し、２の番号が付されている、上から５番目の行は、トラッキングドライブ制御がなされるか否かを示し、３の番号が付されている、上から６番目の行は、スレッドドライブ制御がなされるか否かを示し、４の番号が付されている、上から７番目の行は、スピンドルドライブ制御がなされるか否かを示し、５の番号が付されている、上から８番目の行は、ディスク搬送制御がなされるか否かを示す。
【００６３】
すなわち、動作モードが、ディスクに記録されているデータの再生であり、通常の再生である場合、フォーカスドライブ制御、トラッキングドライブ制御、スレッドドライブ制御、およびスピンドルドライブ制御がなされ、ディスク搬送制御がなされないので、ドライバIC１２の出力段のダイナミックレンジの拡張の必要性はなく、ドライバIC１２には５Ｖの電圧が供給され、６Ｖまたは８Ｖの電圧は供給されない。
【００６４】
また、動作モードが、ディスクに記録されているデータの再生であり、振動が発生した場合、フォーカスドライブ制御、トラッキングドライブ制御、スレッドドライブ制御、およびスピンドルドライブ制御がなされ、ディスク搬送制御がなされず、振動の発生に対応して、トラッキングドライブ制御およびスピンドルドライブ制御において、トラックへの追従をより強化し、ディスクの回転の変動をより抑制する必要があるので、ドライバIC１２の出力段のダイナミックレンジの拡張の必要性があり、ドライバIC１２には６Ｖの電圧が供給され、５Ｖまたは８Ｖの電圧は供給されない。
【００６５】
さらに、動作モードが、ディスクに記録されているデータの再生であり、ディスクに傷がある場合、フォーカスドライブ制御、トラッキングドライブ制御、スレッドドライブ制御、およびスピンドルドライブ制御がなされ、ディスク搬送制御がなされず、ディスクの傷に対応して、フォーカスドライブ制御、トラッキングドライブ制御、およびスピンドルドライブ制御において、ピットおよびトラックへの追従をより強化し、ディスクの回転をより一定に保つ必要があるので、ドライバIC１２の出力段のダイナミックレンジの拡張の必要性があり、ドライバIC１２には６Ｖの電圧が供給され、５Ｖまたは８Ｖの電圧は供給されない。
【００６６】
さらにまた、動作モードが、ディスクに記録されているデータの再生であり、ディスクに変動がある場合、フォーカスドライブ制御、トラッキングドライブ制御、スレッドドライブ制御、およびスピンドルドライブ制御がなされ、ディスク搬送制御がなされず、ディスクの傷に対応して、フォーカスドライブ制御、トラッキングドライブ制御、およびスピンドルドライブ制御において、ピットおよびトラックへの追従をより強化し、ディスクの回転をより一定に保つ必要があるので、ドライバIC１２の出力段のダイナミックレンジの拡張の必要性があり、ドライバIC１２には６Ｖの電圧が供給され、５Ｖまたは８Ｖの電圧は供給されない。
【００６７】
次に、図８のフローチャートを参照して、電源制御の処理を説明する。ステップＳ３１において、判定部９１は、動作モード信号を参照して、ディスクロードの動作モードであるか否かを判定する。ステップＳ３１において、ディスクロードの動作モードであると判定された場合、手続きはステップＳ３２に進み、電源制御部９２は、８Ｖの電源をオンにして、５Ｖの電源と６Ｖの電源とをオフにして、手続きはステップＳ３１に戻る。
【００６８】
すなわち、ステップＳ３２において、電源制御部９２は、リレー７２をオンさせて、ドライバIC１２に電源部７１からの８Ｖの電圧を供給させ、リレー７４とリレー７６とをオフさせて、電源部７３からの６Ｖの電圧と電源部７５からの５Ｖの電圧のドライバIC１２への供給を遮断する。
【００６９】
ステップＳ３１において、ディスクロードの動作モードでないと判定された場合、手続きはステップＳ３３に進み、判定部９１は、動作モード信号を参照して、起動の動作モードであるか否かを判定する。ステップＳ３３において、起動の動作モードであると判定された場合、手続きはステップＳ３２に進み、電源制御部９２は、８Ｖの電源をオンにして、５Ｖの電源と６Ｖの電源とをオフにして、手続きはステップＳ３１に戻る。
【００７０】
ステップＳ３３において、起動の動作モードでないと判定された場合、手続きはステップＳ３４に進み、判定部９１は、動作モード信号を参照して、ディスク再生の動作モードであるか否かを判定する。ステップＳ３４において、ディスク再生の動作モードであると判定された場合、手続きはステップＳ３５に進み、判定部９１は、検出部９３による、振動の検出、傷の検出、またはディスク変動の検出の結果を参照して、振動が検出されず、傷が検出されず、またディスク変動が検出されていないか否か、すなわち、通常に再生されているか否かを判定する。ステップＳ３５において、通常に再生されていると判定された場合、手続きはステップＳ３６に進み、電源制御部９２は、５Ｖの電源をオンにして、６Ｖの電源と８Ｖの電源とをオフにして、手続きはステップＳ３１に戻る。
【００７１】
すなわち、ステップＳ３６において、電源制御部９２は、リレー７６をオンさせて、ドライバIC１２に電源部７５からの５Ｖの電圧を供給させ、リレー７２およびリレー７４をオフさせて、電源部７１からの８Ｖの電圧および電源部７３からの６Ｖの電圧のドライバIC１２への供給を遮断する。
【００７２】
ステップＳ３５において、通常に再生されていないと判定された場合、手続きはステップＳ３７に進み、判定部９１は、検出部９３による検出の結果を参照して、振動の発生が検出されたか否かを判定する。ステップＳ３７において、振動の発生が検出されたと判定された場合、手続きはステップＳ３８に進み、電源制御部９２は、６Ｖの電源をオンにして、５Ｖの電源と８Ｖの電源とをオフにして、手続きはステップＳ３１に戻る。
【００７３】
すなわち、ステップＳ３８において、電源制御部９２は、リレー７４をオンさせて、ドライバIC１２に電源部７３からの６Ｖの電圧を供給させ、リレー７２およびリレー７６をオフさせて、電源部７１からの８Ｖの電圧および電源部７５からの５Ｖの電圧のドライバIC１２への供給を遮断する。
【００７４】
ステップＳ３７において、振動の発生が検出されていないと判定された場合、手続きはステップＳ３９に進み、判定部９１は、検出部９３による検出の結果を参照して、再生されているディスクに傷が検出されたか否かを判定する。ステップＳ３９において、再生されているディスクに傷が検出された場合、手続きはステップＳ３８に進み、電源制御部９２は、６Ｖの電源をオンにして、５Ｖの電源と８Ｖの電源とをオフにして、手続きはステップＳ３１に戻る。
【００７５】
ステップＳ３９において、再生されているディスクに傷が検出されていないと判定された場合、手続きはステップＳ４０に進み、判定部９１は、検出部９３による検出の結果を参照して、面振れや偏芯などのディスク変動が検出されたか否かを判定する。ステップＳ４０において、ディスク変動が検出された場合、手続きはステップＳ３８に進み、電源制御部９２は、６Ｖの電源をオンにして、５Ｖの電源と８Ｖの電源とをオフにして、手続きはステップＳ３１に戻る。
【００７６】
ステップＳ４０において、ディスク変動が検出されなかった場合、動作モードが判定できなかったので、ドライバIC１２に供給される電圧を変更することなく、手続きはステップＳ３１に戻る。
【００７７】
ステップＳ３４において、ディスク再生の動作モードでないと判定された場合、手続きはステップＳ４１に進み、判定部９１は、動作モード信号を参照して、サーチの動作モードであるか否かを判定する。ステップＳ４１において、サーチの動作モードであると判定された場合、手続きはステップＳ３２に進み、電源制御部９２は、８Ｖの電源をオンにして、５Ｖの電源と６Ｖの電源とをオフにして、手続きはステップＳ３１に戻る。
【００７８】
ステップＳ４１において、サーチの動作モードでないと判定された場合、手続きはステップＳ４２に進み、判定部９１は、動作モード信号を参照して、ディスクイジェクトの動作モードであるか否かを判定する。ステップＳ４２において、ディスクイジェクトの動作モードであると判定された場合、手続きはステップＳ３２に進み、電源制御部９２は、８Ｖの電源をオンにして、５Ｖの電源と６Ｖの電源とをオフにして、手続きはステップＳ３１に戻る。
【００７９】
ステップＳ４２において、ディスクイジェクトの動作モードでないと判定された場合、動作モードが判定できなかったので、ドライバIC１２に供給される電圧を変更することなく、手続きはステップＳ３１に戻る。
【００８０】
このように、ディスクを駆動するモードが、再生のモードであるか否かが判定され、再生のモードであると判定された場合、通常の再生のモードであるか否かが判定され、ディスクを駆動する駆動部に供給する電圧として、再生のモードであると判定された場合、通常の再生のモードでないと判定されたとき、６Ｖの電圧が選択され、再生のモードであると判定された場合、通常の再生のモードであると判定されたとき、６Ｖより低い５Ｖの電圧が選択される。
【００８１】
なお、５Ｖ、６Ｖ、および８Ｖは、電圧の一例であり、任意の電圧を用いることができる。
【００８２】
このように、動作モードにより、ドライバIC１２の電源電圧を切り換えることにより、最も動作頻度の高い、ディスク再生時は電源電圧を下げて、ドライバIC１２の電力損失を低減でき、また、その結果、ドライバIC１２の発熱を低減することができる。
【００８３】
以上のように、ディスクを駆動するモードが、再生のモードであるか否かを判定し、ディスクを駆動する駆動部に供給する電圧として、再生のモードであると判定された場合、第１の電圧を選択し、再生のモードでないと判定された場合、第１の電圧より高い第２の電圧を選択するようにした場合、確実に動作させると共に、電力損失をより低減し、発熱をより低減することができる。
【００８４】
上述した一連の処理は、ハードウエアにより実行することもできるし、ソフトウエアにより実行することもできる。一連の処理をソフトウエアにより実行する場合には、そのソフトウエアを構成するプログラムが、専用のハードウエアに組み込まれているコンピュータ、または、各種のプログラムをインストールすることで、各種の機能を実行することが可能な、例えば汎用のパーソナルコンピュータなどに、プログラム記録媒体からインストールされる。
【００８５】
プログラムは、リムーバブルメディアをドライブに装着することにより、コンピュータの一例であるマイクロコンピュータ３５またはマイクロコンピュータ７７に内蔵されているROMまたはRAMに記憶することで、マイクロコンピュータ３５またはマイクロコンピュータ７７にインストールすることができる。また、プログラムは、有線または無線の伝送媒体を介して、通信部で受信し、マイクロコンピュータ３５またはマイクロコンピュータ７７に内蔵されているROMまたはRAMに記憶することで、マイクロコンピュータ３５またはマイクロコンピュータ７７にインストールすることができる。その他、プログラムは、マイクロコンピュータ３５またはマイクロコンピュータ７７に内蔵されているROMまたはRAMにあらかじめ記憶しておくことで、マイクロコンピュータ３５またはマイクロコンピュータ７７にあらかじめインストールしておくことができる。
【００８６】
なお、コンピュータが実行するプログラムは、本明細書で説明する順序に沿って時系列に処理が行われるプログラムであっても良いし、並列に、あるいは呼び出しが行われたとき等の必要なタイミングで処理が行われるプログラムであっても良い。
【００８７】
また、本発明の実施の形態は、上述した実施の形態に限定されるものではなく、本発明の要旨を逸脱しない範囲において種々の変更が可能である。
【符号の説明】
【００８８】
１１…電源切り換え部、１２…ドライバIC、１３…フォーカスコイル、１４…トラッキングコイル、１５…スピンドルモータ、１６…スレッドモータ、１７…ディスク搬送モータ、３１…電源部、３２…リレー、３３…電源部、３４…リレー、３５…マイクロコンピュータ、５１…判定部、５２…電源制御部、６１…電源切り換え部、７１…電源部、７２…リレー、７３…電源部、７４…リレー、７５…電源部、７６…リレー、７７…マイクロコンピュータ、９１…判定部、９２…電源制御部、９３…検出部
【図１】
2010205371.tif 000003
【図２】
2010205371.tif 000004
【図３】
2010205371.tif 000005
【図４】
2010205371.tif 000006
【図５】
2010205371.tif 000007
【図６】
2010205371.tif 000008
【図７】
2010205371.tif 000009
【図８】
2010205371.tif 000010
【図９】
2010205371.tif 000011